(57)【要約】【課題】立体画像表示装置におけるモアレ妨害発生を抑制する。【解決手段】縦ストライプ配列の画素構造を有する画像表示パネルと、レンチキュラーレンズなどの光学的画素選択手段との間に、複屈折性を有する光学シフト層を設け、画素構造を光学的に千鳥状配列とする。【選択図】    図１
2004354899.tif 000002
【特許請求の範囲】
【請求項１】
複数の画素を行列に配列した画像表示手段と、
前記画像表示手段上に設けられ、前記画素からの光に指向性を与え透過させる画素選択手段と、
前記画像表示手段と前記画素選択手段との間に設けられ、前記画素をある行内で列位置を光学的にシフトさせる光学シフト手段と
を有することを特徴とする立体画像表示装置。
【請求項２】
前記画素選択手段は、レンチキュラーレンズアレイであることを特徴とする請求項１記載の立体画像表示装置。
【請求項３】
前記光学シフト手段が複屈折層であることを特徴とする請求項１記載の立体画像表示装置。
【請求項４】
前記光学シフト手段は、前記行内において、半画素だけ列位置をシフトさせることを特徴とする請求項１記載の立体画像表示装置。
【発明の詳細な説明】
【０００１】
【発明の属する技術分野】
本発明は、立体画像表示装置に関する。
【０００２】
【従来の技術】
２次元平面表示装置を用いて立体画像を表示する手法として、多視点型の立体画像表示装置が提案されている。これは、多数の視線方向からの画像を画像表示面に合成表示し、観測者の視点位置に応じて対応する画像を選択的に視認させる光学的画像選択手段を設けている。この表示手法は、眼鏡を用いない立体表示方式という点で優れている。観測者の視点位置に応じて対応する画像を選択的に視認させる原理は、スリット開口部あるいはレンチキュラーレンズからなる光学的画像選択手段を用いて、観測者の視点位置方向から視認できる画素を限定することによる。
【０００３】
ところで、このような光学的画像選択手段はスリットあるいはレンチキュラーレンズのように周期構造を持っており、画像表示面に近接配置されるために、画像表示面上に配列された画素ピッチとの干渉によりモアレ妨害を生じる場合がある。ここでいうモアレ妨害とは、画面上に発生する明暗の縞模様や、視点を水平方向に移動させたときに、画像の切り替わる境界領域で暗くなる、視線移動に応じた輝度変化を指す。
【０００４】
この妨害は、画素間の領域に存在する非表示領域部である、ＢＭ（ブラックマトリクス）部と光学的画像選択手段の繰り返し周期に由来する。即ち、光学的画像選択手段越しに画像表示面を観測した際に、視認されるＢＭ部の面積が視線方向により変調する場合、上記のようなモアレ妨害が発生する。
この問題を改善するため、画素形状、配列を工夫してモアレ妨害発生を抑制する方法が提案されている（特許文献１）。
また、光学的画像選択手段であるレンチキュラーレンズを傾けて配置することにより、視認されるＢＭ部の面積比を視線方向変化に対して平均化する方法が提案されている（特許文献２）。
【０００５】
一方、複屈折板を用いて、解像度の高い表示装置を提供するものがある。（特許文献３）ここでは、偏光を利用して表示装置からの光を複屈折板に通すことにより、右目用、左目用の光を選択的に出射させるものが立体用の画像表示装置の例として示されている。この他、光学ローパスフィルタとしての例が示されている。
【０００６】
【特許文献１】
特表平１０−５０５６８９号公報
【特許文献２】
特表２００１−５０１０７３号公報
【特許文献３】
特開平９−１５２５７２号公報
【０００７】
【発明が解決しようとする課題】
立体用の画像表示装置においても、画素ピッチを細かくすることにより、精細度を向上させることが望まれている。また、画素における有効表示領域を高める、即ち開口率を高めることも、表示輝度を向上させるために重要である。しかしながら、特許文献１のように、縦ストライプ型以外の画素形状を形成しようとすると、画素に信号を供給するための配線を引き回さなくてはならないため、開口率を確保することが難しくなる。また、配線間のクロストークが増大し、配線が長くなるために信号遅延が生じるなど、コントラストの低下、表示クロストークの増大、多画素化に困難が生じる。
【０００８】
一方、特許文献２においては、レンチキュラーレンズが斜め方向に取り付けられているため、視線の上下移動に対して、レンチキュラーレンズピッチ境界が画素に対して水平方向に移動することになる。即ち、視線の上下移動に対して視認される画素が水平方向に変化するため、本来視線の左右方向移動に対応して表示される画像の変化が視線の上下移動に対して生じてしまうことになり、観察者の動きに対応した適正な画像表示がなされないために、観察者に不快感を与える恐れがある。
【０００９】
【課題を解決するための手段】
本発明の実施の形態は、複数の画素を行列に配列した画像表示手段と、前記画像表示手段上に設けられ、前記画素からの光に指向性を与え透過させる画素選択手段と、前記画像表示手段と前記画素選択手段との間に設けられ、前記画素をある行内で列位置を光学的にシフトさせる光学シフト手段とを有することを特徴とする立体画像表示装置である。
【００１０】
ここで、前記画素選択手段は、レンチキュラーレンズアレイであってもよい。
【００１１】
また、前記光学シフト手段が複屈折層であってもよい。
【００１２】
また、前記光学シフト手段は、前記行内において、半画素だけ列位置をシフトさせるものであってもよい。
【００１３】
【発明の実施の形態】
以下、本発明の実施形態を詳細に説明する。但し、本発明の構成は以下に述べる実施形態にとどまるものではなく、発明の実施形態において述べた構成の各部をさまざまに組み合わせた形態をとることが可能であることはいうまでもない。また、説明の簡略化のため、複数の図に渡って同一部材については同一の番号を付与している。
（実施形態１）
以下、本発明の第１の実施形態について説明する。なお、図においては、表示装置から観測者方向に向かってｚ軸、表示面内における横（左右）方向をｘ軸、縦（上下）方向をｙ軸にとることにする。
【００１４】
図１は、本実施形態の構成の概略を示す図である。
【００１５】
二次元の表示装置３０１は複数の画素１０１を備えている。ここでは、表示装置３０１として液晶表示装置（ＬＣＤ）を用いる例を説明する。表示装置３０１の背面にはバックライト（図示略）が備えられている。表示装置３０１は、液晶層を挟持する透明基板３０８と、さらに透明基板３０８を挟持する偏光板３０６、３０７を備える。また、画素１０１は２次の行列配置となっている。
【００１６】
表示装置３０１としては、有機ＥＬ表示装置など、出射光に偏光を有する表示装置を用いることができる。また、ＣＲＴなど、出射光に偏光が無くても、画素毎に偏光を与えるように偏光板を設けることにより、使用が可能となる。
【００１７】
表示装置３０１の表示面側には画素選択手段であるレンチキュラーレンズ３０２が設けられている。レンチキュラーレンズ３０２の焦点位置が画素に位置するよう設計されている。
【００１８】
表示装置３０１とレンチキュラ−レンズ３０２の間には、以下に詳述する光学シフト層３０３が設けられている。
【００１９】
図２を用いて、光学シフト層３０３の作用を説明する。図２（ａ）は、表示装置３０１の画素配列を部分的に拡大し、画素選択手段３０２のピッチ境界との位置関係を示した図である。
【００２０】
表示装置３０１上には、画素１０１と画素１０１を区切る非画素１０４がある。画素１０１は画素ピッチＰｐで列方向（ｘ方向）に配列している。非画素１０４には、信号配線、薄膜トランジスタ（ＴＦＴ）などの光不透過層及びこれらを隠蔽するＢＭ部が設けられている。
【００２１】
表示装置３０１上には、この画素列を行方向（ｙ方向）にも非画素１０４を挟んで等ピッチに配列している。即ち、非画素１０４が格子状を成す、いわゆる縦ストライプ型の画素配列を成している。
【００２２】
画素選択手段３０２は、焦点位置が画素１０１表面に位置するよう設計されており、画素選択手段３０２越しに画素を観察すると、レンチキュラーレンズのピッチ方向（ｘ方向、ピッチＬｐ）全体に画素が拡大されて視認される。
【００２３】
本実施形態では、表示装置３０１と画素選択手段３０２との間に光学シフト層３０３を設けることにより、図２（ｂ）に示すように、画素のｙ方向配列のうち、画素列を一行おき（領域１０２）に光学的に画素ピッチの半分（Ｐｐ／２）だけｘ方向にシフトさせる。これにより、見かけの画素の配列を千鳥状としている。
【００２４】
図３は、本実施形態の光学シフトを行なうための構造をｙｚ平面に対する断面図として示した図である。バックライト（図示省略）を紙面左側、観察者（図示省略）を画面右側とし、バックライト照明光は紙面左から右に進行し、観察者は表示立体画像を観察する。
【００２５】
表示装置３０１は、透明基板３０８間に液晶層からなる画素１０１が形成されており、図示省略するが、液晶層に電圧を供給する信号配線、電圧を保持するための薄膜トランジスタ（ＴＦＴ）、補助容量などが非画素１０４に形成されている。また、光路中に三原色のカラーフィルタを形成し、透過光を分光吸収することでカラー表示が可能になる。更に、液晶層の光入射側、出射側に偏光板３０６、３０７が設けられている。
【００２６】
非偏光であるバックライト（図示省略）からの照明光３１０は、入射側偏光板３０６の偏光吸収によりｙ軸方位の直線偏光となり、出射光はｘ軸方位の直線偏光３１２となる。本実施形態では入射光と出射光の偏光方位が直交しており、出射光がｘ軸方位となっているが、画像情報を含む出射光３１２が直線偏光となっていることが肝要である。液晶の視野角依存性から、出射偏光方位がｘ軸ではない場合も有り得るが、偏光方位はｘｙ平面内に存在し、後述するように偏光回転層となる１／２波長フィルムを適正な角度に配置することで、表示装置３０１の後段に設けられた光学素子に整合する偏光方位（ここではｘ軸方位）に変換することが可能である。
【００２７】
表示装置３０１と画素選択手段３０２との間にｘｚ平面内方向の光学シフトを行なう光学シフト層３０３が一行おきに（例えば、ｉ＋１、ｉ＋３行）設けられる。
【００２８】
図４は、ｉ＋１行、またはｉ＋３行におけるｘｚ平面に対する断面図である。これは、光路シフトの様子を示す。
【００２９】
出射光３１２は、光学シフト層３０３に入り、偏光３１４として光学シフト層３０３中を進行する。そして、半画素ピッチ（Ｐｐ／２）のｘ方向へのシフトを生じた後、光学シフト層３０３をｚ方向へ出射し、画素選択手段３０２によって屈折を生じる。ここで、Ｐｐは画像表示手段３０１における画素１０１のピッチを表す。
【００３０】
ｉ行、ｉ＋２行の偏光３１５がレンチキュラーレンズ３０２中を直進するのに対し、ｉ＋１行、ｉ＋３行のｘ軸方向に偏光方位を有する偏光光３１４は、光学シフト層３０３中を伝播する際にｘｚ平面内で光路シフトを生ずる。
【００３１】
そのため、画素選択手段３０２越しに光学シフト層３０３が設けられた行の画素１０１を観察すると、図５に示すように、あたかも本来の位置から半画素ピッチＰｐ／２だけｘ軸方向にシフトした位置に画素が存在するように観察されることになる。
【００３２】
図６は、光学シフト層３０３の光学配置を示した図である。
【００３３】
光学シフト層３０３は、画素選択手段３０２の光入射面に対して横方向（ｘ軸方向）のストライプ状に形成されている。例えば、画素１０１の偶数行または奇数行のみの上に設けられている。
【００３４】
光学シフト層３０３は、１軸性の複屈折性を有している。その屈折率楕円体と屈折率の主軸を、常光線屈折率をｎｏ、異常光線屈折率をｎｅとして図中に示す。異常光線屈折率ｎｅの方位は、ｘｚ平面内にあり、ｚ軸に対して角度θを成している。ここで、光学シフト層３０３の厚みをｄとする。
【００３５】
上記の機能を有する光学シフト層３０３は、高分子ポリマー液晶など、光学ポリマーを光学的に等方的な透明基板上にずらし応力などによって配向処理することで形成可能である。また、この光学シフト層をストライプ状に形成する以外に、高分子ポリマー液晶など、上記方法で複屈折性を持たせた層を光入射面全面に形成しておき、ＵＶ照射や熱的、パターニング処理によりストライプ状に複屈折層を残すよう加工することでも形成することができる。
【００３６】
光学シフト層３０３に対して垂直に入射した光のうち、ｙ軸方位の直線偏光成分は屈折率ｎｏとなるため、常光線として電気変位ベクトルＤと電場ベクトルＥ（図示省略）方位は一致し、直進する。一方、ｘ軸方向の偏光成分は電気変位ベクトルＤは直進するのに対し、電場ベクトルＥの方向は、電気変位ベクトルＤを法線とする波面平面と屈折率楕円体との接点と楕円体中心を結ぶ方位、ｘｚ平面内にありｚ軸に対して角度αを成す方向に進行する。
θとαの関係は、
【００３７】
【数１】
2004354899.tif 000003
【００３８】
で表される。従って、フィルム厚ｄにおける異常光線のシフト量ｐは、
【００３９】
【数２】
2004354899.tif 000004
【００４０】
となる。
【００４１】
図７は、各画素に割り当てられる要素画像番号との対応関係を説明する図である。
【００４２】
要素画像とは、ここでは各視線方向に対応して割り当てられる１組の画像情報である。従って、三次元表示装置が表示する立体像を構成する情報量に比例している。また、要素領域２０１とは、１組の要素画像を表示する画素１０１の集合である。
【００４３】
図７では視線数を８として、８つの視線方向に対応する要素画像を番号で示した。１組の要素画像を担う要素領域２０１に視線番号１〜８を付している。ここでは、ｉ行ｊ列から、ｉ＋１行ｊ＋４列までが１組の要素領域２０１である。
【００４４】
このように、本実施形態の画像表示装置を正面から見ると、画素１０１が千鳥状に観察される。即ち、隣り合う行同士で、画素の横方向（ｘ方向）位置が半画素分だけ、ずれて見えるのである。
【００４５】
ここで、画素選択手段３０２ｋ列において、ｉとｉ＋１行の２行で示される要素領域２０１が一つの単位として観察者に視認されることになる。
【００４６】
また、図８にシフトした画素１０１と画素選択手段３０２の相対的位置関係及び視線方向１１〜１８の対応関係を示す。
【００４７】
例えば、ｉ行ｊ＋１列の画素１０１が表示する視線番号３の情報は、画素選択手段３０２を通って、視線方向１３に限定的に放射される。即ち、各画素１０１の表示している情報に、極端な指向性を持たせるのである。従って、特定の方向からのみ特定の画素が選択的に見えるような構成になっている。
【００４８】
逆に、視線方向１３から画面を観察すると、図９に示すように、ｉ行ｊ＋１列の画素１０１を図中の左上に見ることができる。ここで、ｉ行ではｉ行ｊ＋１列の画素１０１に表示された要素画像情報が、レンチキュラーレンズピッチ幅まで横方向に拡大されて観察される。少なくともｉ行ｊ＋１列の近傍では同様に、ｉ＋２行ｊ＋１列、ｉ行ｊ＋５列、ｉ＋２行ｊ＋５列、ｉ行ｊ＋９列、ｉ＋２行ｊ＋９列において同じ視線方向３の要素画像情報が、レンチキュラー面上での拡大された画素情報として表示されることになる。また、ｉ＋１行、ｉ＋３行では、ｉ＋１行ｊ列の画素１０１とｉ＋１行ｊ＋１列の画素１０１との間にある非画素部分が拡大され、画素選択手段３０２を通してみると、ｉ＋１行目には何も表示されない。
【００４９】
従って、画素選択手段３０２を通してみると、同時に、視線方向１３からは、ｉ行ｊ＋５列、ｉ行ｊ＋９列、ｉ＋２行ｊ＋１列、ｉ＋２行ｊ＋５列、ｉ＋２行ｊ＋９列の画素を選択的に見ることができる。即ち、視線番号３の情報のみを選択に見ることができ、その他の視線番号の画素１０１は見ることができない。
【００５０】
このようにして、観察者の目は一つの視線方向からは、各要素領域２０１のうちのひとつずつを選択的に見ることになり、観察者の目の位置に応じて異なる画素を見ることで、立体視することが可能となるのである。
【００５１】
例えば、視線方向を１４方向から画素選択手段３０２を通して観察すると、図１０に示すようになる。この視線方向１４は、横方向（ｘ方向）については、視線方向１３と視線方向線方向１５の中間になる。
【００５２】
この視線方向１４からは、ｉ行、ｉ＋２行が暗表示、ｉ＋１、ｉ＋３行に視線方向１４に対応する要素画像４が観察される。
【００５３】
そして、このように半画素ピッチの光学的シフトを一行おきに施すことで、視線方向の水平移動に対して、明暗縞は行方向に２行ごとの細かい周期に分散されるので、モアレ妨害が抑制される。
【００５４】
なお、本実施形態では１／２画素ピッチの光学シフトを利用して、ｉ行とｉ＋１行で異なる視線方向の要素画像を割り当てたが、ｉ行とｉ＋１行の同じ列に同じ要素画素情報を割り当てても良い。つまり、ｉ行ｊ列とｉ＋１行ｊ列の画素１０１に同じ視線方向１から見るための要素画像１を表示する。この場合、視線数は４となり、ｉ行とｉ＋１行で画面縦方向に異なる位置の画像情報を表示できるので、画面縦方向解像度が増加することになる。このようにしても、モアレ抑制効果は上記の実施形態と同様に得られる。
【００５５】
本実施形態に示すように、光学的シフトにより、画素列を一行おきに半画素ピッチシフトさせることで、モアレ妨害を低減することが可能となる。
【００５６】
即ち、従来の、水平方向へ画素をシフトさせない構造においては、水平方向に視認する方向を変化させた場合、レンチキュラーレンズによって拡大される像は、画素表示領域と非画素表示領域が一様に切り替わる、即ち、観察者が水平方向に移動すると、ある視線方向からは画面全体に画像が表示されるものの、画面全体が表示される視線方向の間にあっては、画面全体が暗く、何も表示しないことになる。従って、水平運動視差に対し明暗の輝度変化が生じるのである。
【００５７】
これに対し、本実施形態のように、図２（ｂ）の構造では、ｙ方向に画素表示領域と非画素表示領域が交互に拡大され、２行周期の明暗縞が観察される。即ち、画面全体が暗表示になることがない。そのために、水平運動視差に伴う輝度変化の割合が減少し、その周期も１／２に細かくなるため、結果的に輝度変化は観察者に視認されなくなる。モアレ妨害は、表示画面内にわたって、水平方向の画角の違いによって生じる上記の輝度変化が視認されることによるものである。
（実施形態２）
図１１は、本実施形態を説明する図である。
【００５８】
本実施形態では、光学シフト層３０３を光入射面全面に設け、偏光回転層７０１を行毎に設けたことを特徴としている。例えば、偏光回転層７０１は、液晶パネル１０１のｉ行、ｉ＋２行目に対応する部分に設けられ、ｉ＋１行、ｉ＋３行目にはない。
【００５９】
光学シフト層３０３は、所定の方向に屈折率主軸を有する１軸性複屈折フィルムとして形成することが可能であり、レンズ入射面あるいは基板上にプロセス形成するよりも所望の光学特性が得られやすい。このような１軸性複屈折フィルムは、ポリカーボネートやＪＳＲ（株）製のアートン、高分子液晶ポリマー体を延伸配向処理することで、所望の光学特性を得ることができる。
【００６０】
偏光回転層７０１はいわゆるλ／２波長フィルム層であり、可視光の１／２波長となる２００〜３００ｎｍのリタデーションを有する複屈折層が、ｘｙ軸を２分する４５°方向に位相軸を有する光学層である。このような光学層は、先に述べた光学シフト層と同様な方法でプロセス形成することが可能である。
【００６１】
この構造によって、偏光板３０７を出射した偏光３１２のうち、画素ｉ行とｉ＋２行を出射した偏光成分は、光学シフト層３０３の光入射面に画素１行おきに設けられた偏光回転層７０１を透過し、偏光軸がｘ軸からｙ軸方向に９０°回転する。
【００６２】
これらの偏光軸はｙ軸方位にあり、光学シフト層３０３の常光線屈折率方位に一致しているため、偏光成分７０２は常光線として直進する。一方、画素ｉ＋１行、ｉ＋３行の出射成分は先に述べたように、ｘ軸方向に偏光軸を有しているため、異常光線として光の進行方位がｘ軸方向にシフトすることになる。
（実施形態３）
図１２は、本実施形態を説明する図である。
【００６３】
本実施形態は光学的画素シフトを１行毎に施すのではなく、光学シフトの繰り返し周期を複数行とした例である。領域８０１、８０２は光学シフトによりそれぞれ１／３画素ピッチ（Ｐｐ／３）、２／３画素ピッチ（２Ｐｐ／３）分ｘ軸方向にシフトしている。
【００６４】
図１３は、本実施形態の光学シフトに対し、各画素に割り当てられる要素画像番号との対応関係を説明する図である。また、画素選択手段の境界をも重ねて表示し、光学シフトされた後を示している。
【００６５】
ｉ行ｊ列の画素に割り当てる要素画像番号を１とすると、ｘ軸方向のシフト順に、ｉ＋１行ｊ列の画素表示領域に要素画像２、ｉ＋２行ｊ列の画素表示領域に要素画像３を順次割り当てていくことになる。
【００６６】
図１４は、このような複数行の画素光学シフトを可能とする構成の例である。本構成は図１１を多段構成とした点が特徴である。即ち、初段の光学シフト層１００１の厚みを図１１の構成に対して２／３とすることでｉ＋１行、ｉ＋２行の画素行に対し１／３画素ピッチの光学シフトを施すことができる。次に、偏光回転層１００２をｉ＋１行に設け、同厚の光学シフト層を後段に設けることで、ｉ＋２行の画素行のみを選択的に更に１／３画素ピッチだけ光学シフトさせることができる。
【００６７】
このように、偏光回転層と光学シフト層を組として多段構成することで、任意の繰り返し周期に対応することが可能となる。例えば、光学シフトの繰り返し周期をｎ行とすると、上段の画素表示領域に対して１行あたりの光学シフト量を画素ピッチＰｐに対してＰｐ／ｎとし、要素画像番号をｘ軸座標の昇順に同列の最上段から最下段に向けて割り当てていくことになる。また、偏光回転層と光学シフト層の組はｎ−１段構成とし、偏光回転層はｎライン周期で１段毎に１行下に配置位置がずれるように設けていけば良い。
【００６８】
【発明の効果】
以上述べたように本発明の実施の形態によれば、立体画像表示装置において重要な横方向視差数を増大させつつ、モアレ妨害発生を抑制することが可能となる。
【図面の簡単な説明】
【図１】本発明の実施形態を説明する概略図
【図２】第１の実施形態に関わる画素配列を示した図
【図３】第１の実施形態における構成を側面から見た断面図
【図４】第１の実施形態における構成を上面から見た断面図
【図５】第１の実施形態において、画素選択手段越しに観察される画素位置と実際の画素の位置関係を上面から見た断面図
【図６】光学シフト層の光学配置を示した図
【図７】第１の実施形態に関わる画素配列を示した図
【図８】第１の実施形態における画素配列と画素選択手段および視線方向の対応関係を示した図
【図９】第１の実施形態において、視線方向３からレンチキュラーレンズ越しに観察される画素の像を示した図
【図１０】第１の実施形態において、視線方向４からレンチキュラーレンズ越しに観察される画素の像を示した図
【図１１】第２の実施形態における構成を側面から見た断面図
【図１２】第３の実施形態に関わる画像表示手段の画素配列と画素選択手段の位置関係を示した図
【図１３】第３の実施形態に関わる画素配列と要素画像の対応を示した図
【図１４】第３の実施形態における構成を側面から見た断面図
【符号の説明】
１０１・・・画素
１０２、２０１、８０１、８０２・・・画素の組
３０１・・・画像表示装置
３０２・・・レンチキュラーレンズ
３０３、１００１・・・光学シフト層
３０６、３０７・・・偏光板
３０８・・・透明基板
３１０・・・照明光
３１１、３１２、３１４、３１５、３１６、７０２・・・偏光成分
７０１、１００２・・・偏光回転層
【図１】
2004354899.tif 000005
【図２】
2004354899.tif 000006
【図３】
2004354899.tif 000007
【図４】
2004354899.tif 000008
【図５】
2004354899.tif 000009
【図６】
2004354899.tif 000010
【図７】
2004354899.tif 000011
【図８】
2004354899.tif 000012
【図９】
2004354899.tif 000013
【図１０】
2004354899.tif 000014
【図１１】
2004354899.tif 000015
【図１２】
2004354899.tif 000016
【図１３】
2004354899.tif 000017
【図１４】
2004354899.tif 000018